(57)【要約】【課題】容易に電力供給可能な照明器具を提供する。【解決手段】実施形態によれば、発光パネルと、カバー部と、支持部と、を含む照明器具が提供される。前記発光パネルは、第１電極と、第２電極と、前記第１電極と前記第２電極との間に設けられ発光層を有する有機層と、を含む。前記カバー部は、前記発光パネルの周縁部に設けられる。前記第１電極及び前記第２電極に導通する第１電極部が前記カバー部に設けられる。第２電極部が前記支持部に設けられる。前記支持部は、前記カバー部を支持する。前記第２電極部は、前記第１電極部と電気的に接続される。【選択図】図１
2015185266.tif 000002
【特許請求の範囲】
【請求項１】
第１電極と、第２電極と、前記第１電極と前記第２電極との間に設けられ発光層を有する有機層と、を含む発光パネルと、
前記発光パネルの周縁部に設けられ、前記第１電極及び前記第２電極に導通する第１電極部が設けられたカバー部と、
第２電極部が設けられ、前記第２電極部が前記第１電極部と電気的に接続されるように、前記カバー部を支持する支持部と、
を備えた照明器具。
【請求項２】
前記発光パネルが設けられた前記カバー部は、前記支持部に対して可動する請求項１記載の照明器具。
【請求項３】
前記カバー部は、前記支持部に支持される部分に第１嵌合部を有し、前記支持部は、前記第１嵌合部と嵌合する第２嵌合部を有し、前記第１電極部は前記第１嵌合部に設けられ、前記第２電極部は前記第２嵌合部に設けられる請求項１または２に記載の照明器具。
【請求項４】
前記第１嵌合部は突起部であり、前記突起部は、前記カバー部の側面の長手方向に沿って設けられ、
前記第２嵌合部は溝部であり、前記溝部は、前記支持部の側面の長手方向に沿って設けられる請求項３記載の照明器具。
【請求項５】
前記第１電極部と前記第２電極部とが接続されて前記発光パネルに電力供給される請求項１〜４の何れか一に記載の照明器具。
【発明の詳細な説明】
【技術分野】
【０００１】
本発明の実施形態は、照明器具に関する。
【背景技術】
【０００２】
例えば、ＯＬＥＤ（Organic Light Emitting Diode）を光源として用いた照明器具がある。ＯＬＥＤ照明器具は様々な用途が検討されている。例えば、ＯＬＥＤ照明器具が可動する用途も考えられ、そのような特殊な使用をされる場合であっても、簡単な構造で電力供給できることが求められる。
【先行技術文献】
【特許文献】
【０００３】
【特許文献１】特開２００８−１８６５９９号公報
【発明の概要】
【発明が解決しようとする課題】
【０００４】
本発明の実施形態は、容易に電力供給可能な照明器具を提供する。
【課題を解決するための手段】
【０００５】
本発明の実施形態によれば、発光パネルと、カバー部と、支持部と、を含む照明器具が提供される。前記発光パネルは、第１電極と、第２電極と、前記第１電極と前記第２電極との間に設けられ発光層を有する有機層と、を含む。前記カバー部は、前記発光パネルの周縁部に設けられる。前記第１電極及び前記第２電極に導通する第１電極部が前記カバー部に設けられる。第２電極部が前記支持部に設けられる。前記支持部は、前記カバー部を支持する。前記第２電極部は、前記第１電極部と電気的に接続される。
【発明の効果】
【０００６】
本発明の実施形態によれば、容易に電力供給可能な照明器具が提供される。
【図面の簡単な説明】
【０００７】
【図１】図１（ａ）及び図１（ｂ）は、第１の実施形態に係る照明器具を示す模式図である。
【図２】第１の実施形態に係る照明器具の一部を示す模式図である。
【図３】第１の実施形態に係る照明器具を示す他の模式図である。
【図４】図４（ａ）〜図４（ｃ）は、第２の実施形態に係る照明器具を示す模式図である。
【図５】第３の実施形態に係る照明器具を示す模式図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）  
図１（ａ）及び図１（ｂ）は、第１の実施形態に係る照明器具を例示する模式図である。
図１（ａ）は、照明器具１００を例示する平面図である。図１（ｂ）は、図１（ａ）のＡ１−Ａ２線の側面図である。
【００１０】
照明器具１００は、発光パネル１０と、カバー部１１と、支持部１２と、を含む。カバー部１１は、第１面１１ａ及び第２面１１ｂを有する。支持部は、第１面１２ａを有する。
【００１１】
カバー部１１は、例えば、枠状を有する。カバー部１１は、例えば、外部からの衝撃等から発光パネル１０を保護する。カバー部１１は、発光パネル１０の周縁部１０ｓを覆う。
【００１２】
カバー部１１は、例えば、ＡＢＳ樹脂、アクリル樹脂、ポリスチレン樹脂等のプラスチック材料、又は、表面に絶縁処理が施されたアルミニウム等の金属材料より形成される。例えば、カバー部１１は、その中央部が開口した枠形状を有する。
【００１３】
カバー部１１は、例えば、第１面１１ａに第１嵌合部として、突起部（凸部）１１ｐ１と、突起部１１ｐ２とを含む。突起部１１ｐ１及び突起部１１ｐ２は、例えば、第１面１１ａの長手方向に連続して設けられる。例えば、突起部１１ｐ１及び突起部１１ｐ２の端部には、電極部１１ｅ１及び電極部１１ｅ２がそれぞれ設けられている。電極部１１ｅ１及び電極部１１ｅ２は、例えば、発光パネル１０内に設けられた各電極（例えば、陽極及び陰極）と導通している。電極部１１ｅ１及び電極部１１ｅ２は、第１電極部に対応する。
【００１４】
支持部１２は、例えば、発光パネル１０を覆うカバー部１１を支持する。カバー部１１の第１面１１ａにおいて、支持部１２は、カバー部１１と嵌合する。
【００１５】
支持部１２は、例えば、第１面１２ａに第２嵌合部として、溝部（凹部）１２ｔ１と、溝部１２ｔ２とを含む。溝部１２ｔ１及び溝部１２ｔ２は、例えば、第１面１２ａの長手方向に連続して設けられる。例えば、溝部１２ｔ１及び溝部１２ｔ２の底部には、電極部１２ｅ１及び電極部１２ｅ２がそれぞれ設けられている。電極部１２ｅ１及び電極部１２ｅ２は、給電用の電極に対応する。電極部１２ｅ１及び電極部１２ｅ２は、第２電極部に対応する。
【００１６】
カバー部１１の突起部１１ｐ１及び突起部１１ｐ２は、支持部１２の溝部１２ｔ１及び溝部１２ｔ２にそれぞれ嵌合する。カバー部１１の第１面１１ａと、支持部１２の第１面１２ａと、が嵌合する。カバー部１１と支持部１２との嵌合によって、電極部１１ｅ１及び電極部１１ｅ２は、電極部１２ｅ１及び電極部１２ｅ２に電気的に接続される。カバー部１１と支持部１２との嵌合によって、発光パネル１０に電力供給される。
【００１７】
本実施形態において、カバー部１１の第１面１１ａにおいて、支持部１２は、カバー部１１と嵌合している。カバー部１１と支持部１２との嵌合は、パンダグラフ、ばね又は車輪等が用いられる。例えば、支持部１２は、カバー部１１の第１面１１ａ及び第２面１１ｂにおいて、カバー部１１と嵌合しても良い。支持部１２が第１面１１ａ及び第２面１１ｂにおいてカバー部１１と嵌合する場合、カバー部１１に設けられる電極部１１ｅ１及び電極部１１ｅ２は、第１面１１ａ及び第２面１１ｂの少なくとも一方に設けられる。
【００１８】
図２は、第１の実施形態に係る照明器具の一部を示す模式的断面図である。
図２は、発光パネル１０を例示する断面図である。
【００１９】
発光パネル１０には、基板２０、第１電極２１、第２電極２２、有機層３０、封止部材２４、封止体２５、及び、絶縁膜２６が設けられる。有機層３０は、発光層３２を含む。
【００２０】
基板２０は、第１面２０ａ及び第２面２０ｂを有する。第２面２０ｂは、第１面２０ａとは反対側の面である。封止部材２４は、第１面２４ａ及び第２面２４ｂを有する。第２面２４ｂは、第１面２４ａとは反対側の面である。基板２０の第１面２０ａは、封止部材２４の第１面２４ａと対向している。例えば、第１面２０ａ、２４ａと、第２面２０ｂ及び２４ｂの形状は、四角形である。
【００２１】
例えば、基板２０の上に、第２電極２２が設けられる。第２電極２２と基板２０との間に、第１電極２１が設けられる。有機層３０は、第１電極２１と第２電極２２との間に設けられる。有機層３０の側面と第２電極２２との間、及び、第１電極２１の端部と第２電極２２との間には、絶縁膜２６が設けられる。
【００２２】
基板２０の上に、封止部材２４が設けられている。基板２０と封止部材２４との間に、封止体２５が設けられる。封止体２５は、基板２０と封止部材２４との間の領域の周囲において、連続して設けられる。
【００２３】
基板２０は、例えば、光透過性である。基板２０は、例えば、透明基板である。例えば、基板２０として、ガラス基板が用いられる。基板２０には、例えば、透明樹脂基板（例えば透明プラスチック基板など）が用いられる。
【００２４】
第１電極２１は、光透過性である。第１電極２１は、例えば、透明電極である。例えば、第１電極２１には、ＩＴＯ（Indium Tin Oxide）、ＩＺＯ（Indium Zinc Oxide）または導電性高分子などが用いられる。例えば、第１電極２１は、陽極である。
【００２５】
第２電極２２の光透過率は、例えば、基板２０の光透過率よりも低い。第２電極２２の光透過率は、例えば、第１電極２１の光透過率よりも低い。第２電極２２は、例えば、光反射性である。例えば、第２電極２２には、銀（Ａｇ）膜またはアルミニウム（Ａｌ）膜などが用いられる。第２電極２２の厚さは、例えば、３０ｎｍ以上である。第２電極２２は、例えば、陰極である。
【００２６】
有機層３０には、例えば、正孔輸送層３１と、発光層３２と、電子輸送層３３と、が設けられている。例えば、第１電極２１の上に正孔輸送層３１が設けられる。正孔輸送層３１の上に発光層３２が設けられる。発光層３２の上に電子輸送層３３が設けられる。例えば、第２電極２２は、基板２０の表面の一部の上にも設けられる。第２電極２２は、基板２０の表面と有機層３０の上面との間の段差を覆うように連続して設けられる。
【００２７】
発光パネル１０においては、例えば、第２電極２２から、電子輸送層３３を介して、発光層３２へ電子が注入される。例えば、第１電極２１から、正孔輸送層３１を介して、発光層３２へ正孔が注入される。発光層３２において、注入された電子と注入された正孔とが、再結合する。再結合に伴って、発光層３２から光が放出される。
【００２８】
この例では、第２電極２２は、発光層３２から放出された光を実質的に透過させない厚さを有している。例えば、第２電極２２は、光に対して高い反射性を有する。発光層３２から放出され、第２電極２２側に向かう光は、第２電極２２で反射して、光透過性の第１電極２１を通過する。発光パネル１０においては、発光層３２から放出された光は、基板２０側から取り出される。
【００２９】
封止部材２４は、例えば、光透過性である。例えば、封止部材２４は、有機層３０から出射する光を透過させる。封止部材２４として、ガラス基板及び透明樹脂の少なくともいずれかが用いられる。実施形態において、封止部材２４は、非光透過性でも良い。封止体２５には、例えば、樹脂が用いられる。
【００３０】
発光パネル１０を点灯させるためには、基板２０の端部に形成された各電極に電力を供給する。本実施形態のように、支持部１２の溝内に給電用の電極を形成すると、発光パネル１０は、カバー部１１を介して容易に電力供給される。
【００３１】
なお、第２電極２２を透明材料で形成した場合には、発光層３２から放出された光が、基板２０側および封止部材２４側から取り出される両面発光の透明パネルを構成することができる。
【００３２】
また、第２電極２２に銀やアルミニウム等の金属膜を用いるが、その第２電極２２を細線状もしくは格子状のような、一部に所定の開口を形成することで、片面発光型でかつ透明なパネルを構成することができる。第２電極２２を、金属膜の膜厚が１０〜３０ｎｍであるような透光性の薄膜部と、膜厚が３０ｎｍ〜２００ｎｍであるような非透光性の厚膜部を有するように構成しても、片面発光型でかつ透明なパネルを構成することができる。この片面発光透明パネルは、消灯時には基板２０側からも封止部材２４側からも発光パネル１０を介して反対側を視認することができ、点灯時には基板２０側から光を取り出せるとともに、封止部材２４側から発光パネル１０を介して基板２０側を視認することが可能なパネルである。
【００３３】
突起部１１ｐ１及び溝部１２ｔ１と、突起部１１ｐ２及び溝部１２ｔ２とによって、発光パネル１０を覆うカバー部１１が支持部１２に対してスライドする場合であっても、支持部１２の溝内に給電用の電極を形成しているため、発光パネル１０には、カバー部１１を介して容易に電力供給される。
【００３４】
なお、照明器具１００に両面発光のパネル、または片面発光透明パネルを用いた場合、発光する窓として実現できる。すなわち、消灯時は透明性を維持しながら、点灯中には発光パネル１０が支持部１２に対してスライドしたとしても、カバー部１１によって給電状態を維持することができ、点灯状態が途切れることを防止できる。また、発光パネル１０にリード線などで給電する場合には、そのリード線によって円滑なスライドができなかったり、長さによってスライドが制限されたりすることがあるが、本実施形態ではそのような不具合の発生を防止できる。
【００３５】
また、図３のように、複数の発光パネル１０を保持するように構成することができる。この構成は、発光する障子をイメージしたものであり、発光パネル１０には片面発光透明パネルが使用される。より具体的には、点灯中、障子の外側、例えば庭に発光し、部屋側には発光しないように配置されるため、部屋の内部の人は障子越しでも外側を見ることができながら、外部からはＯＬＥＤの光によって部屋内部のプライバシーを保護できる。
【００３６】
図４（ａ）〜図４（ｃ）は、第２の実施形態に係る照明器具を例示する模式図である。
図４（ａ）は、照明器具１２０を例示する平面図である。図４（ｂ）は、図４（ａ）のＡ１−Ａ２線の側面図である。図４（ｃ）は、図４（ａ）のＢ１−Ｂ２線の側面図である。
【００３７】
照明器具１２０は、複数の発光パネル１０と、カバー部１１と、支持部１２と、を含む。カバー部１１は、第１面１１ａ及び第２面１１ｂを有する。支持部１２は、第１面１２ａ及び第２面１２ｂを有する。
【００３８】
カバー部１１は、例えば、枠状を有する。カバー部１１は、例えば、発光パネル１０を保持する。カバー部１１は、発光パネル１０の各々の周縁部１０ｓを覆う。
【００３９】
図４（ｂ）に表されるように、カバー部１１は、例えば、第１面１１ａに突起部（凸部）１１ｐ１を含む。図４（ｃ）に表されるように、カバー部１１は、例えば、第２面１１ｂに突起部（凸部）１１ｐ２を含む。突起部１１ｐ１及び突起部１１ｐ２は、例えば、第１面１１ａ及び第２面１１ｂの長手方向に連続してそれぞれ設けられる。例えば、突起部１１ｐ１及び突起部１１ｐ２の端部には、電極部１１ｅ１及び電極部１１ｅ２がそれぞれ設けられている。電極部１１ｅ１及び電極部１１ｅ２は、例えば、複数の発光パネル１０内に設けられた各電極（例えば、陽極及び陰極）と導通している。電極部１１ｅ１及び電極部１１ｅ２は、第１電極部に対応する。
【００４０】
支持部１２は、例えば、複数の発光パネル１０を覆うカバー部１１を支持する。カバー部１１の第１面１１ａ及び第２面１１ｂにおいて、支持部１２は、カバー部１１と嵌合する。
【００４１】
図４（ｂ）に表されるように、支持部１２は、例えば、第１面１２ａに溝部（凹部）１２ｔ１を含む。図４（ｃ）に表されるように、支持部１２は、例えば、第２面１２ｂに溝部１２ｔ２を含む。溝部１２ｔ１及び溝部１２ｔ２は、例えば、第１面１２ａ及び第２面１２ｂの長手方向に連続してそれぞれ設けられる。例えば、溝部１２ｔ１及び溝部１２ｔ２の底部には、電極部１２ｅ１及び電極部１２ｅ２がそれぞれ設けられている。電極部１２ｅ１及び電極部１２ｅ２は、給電用の電極に対応する。電極部１２ｅ１及び電極部１２ｅ２は、第２電極部に対応する。
【００４２】
カバー部１１の突起部１１ｐ１及び突起部１１ｐ２は、支持部１２の溝部１２ｔ１及び溝部１２ｔ２に嵌合する。カバー部１１の第１面１１ａ及び第２面１１ｂと、支持部１２の第１面１２ａ及び第２面１２ｂと、がそれぞれ嵌合する。カバー部１１と支持部１２との嵌合によって、電極部１１ｅ１及び電極部１１ｅ２は、電極部１２ｅ１及び電極部１２ｅ２に電気的に接続される。カバー部１１と支持部１２との嵌合によって、発光パネル１０に電力供給される。
【００４３】
本実施形態において、カバー部１１の第１面１１ａ及び第２面１１ｂにおいて、支持部１２は、カバー部１１と嵌合している。支持部１２の溝内に給電用の電極を形成すると、発光パネル１０は、カバー部１１を介して容易に電力供給される。
【００４４】
突起部１１ｐ１及び溝部１２ｔ１と、突起部１１ｐ２及び溝部１２ｔ２とによって、発光パネル１０を覆うカバー部１１が支持部１２とスライドする場合であっても、支持部１２の溝内に給電用の電極を形成すると、発光パネル１０は、カバー部１１を介して容易に電力供給される。
【００４５】
本実施形態によれば、容易に電力供給される照明器具が提供される。
【００４６】
図５は、第３の実施形態に係る照明器具を例示する模式図である。
【００４７】
照明器具１２０は、複数の発光パネル１０と、カバー部１１と、支持部１２と、を含む。カバー部１１は、第１面１１ａ及び第２面１１ｂを有する。支持部１２は、第１面１２ａ及び第２面１２ｂを有する。
【００４８】
カバー部１１は、例えば、枠状を有する。カバー部１１は、例えば、発光パネル１０を保持する。カバー部１１は、発光パネル１０の各々の周縁部１０ｓを覆う。カバー部１１は、例えば、図５に表されるように、第１面１１ａの上端側の外側面に電極部１１ｅ１、第２面１１ｂの上端側の外側面に電極部１１ｅ２を含む。
【００４９】
支持部１２は、例えば、複数の発光パネル１０を覆うカバー部１１を支持する。例えば、下側が開口した、有底開口状であり、その内側面に第２電極部が形成されている。具体的には、電極部１１ｅ１と面するカバー部１１の内側面に電極部１２ｅ１、電極部１１ｅ２と面するカバー部１１の内側面に電極部１２ｅ２が形成されている。
【００５０】
本実施形態において、カバー部１１の第１面１１ａ及び第２面１１ｂの上部において、支持部１２は、カバー部１１を覆うように支持している。カバー部１１を支持部１２内に配置すると、第１電極部と第２電極部が電気的に接続され、発光パネル１０は、カバー部１１を介して容易に電力供給される。よって、発光パネル１０を覆うカバー部１１が支持部１２とスライドする場合であっても、発光パネル１０は、カバー部１１を介して容易に電力供給される。
【００５１】
本実施形態によれば、容易に電力供給される照明器具が提供される。
【００５２】
以上、具体例を参照しつつ、本発明の実施の形態について説明した。しかし、本発明は、これらの具体例に限定されるものではない。例えば、照明器具に含まれる発光パネル、基板、発光層、有機層、第１電極、第２電極、封止部材及び封止体などの各要素の具体的な構成に関しては、当業者が公知の範囲から適宜選択することにより本発明を同様に実施し、同様の効果を得ることができる限り、本発明の範囲に包含される。
【００５３】
また、各具体例のいずれか２つ以上の要素を技術的に可能な範囲で組み合わせたものも、本発明の要旨を包含する限り本発明の範囲に含まれる。
【００５４】
その他、本発明の実施の形態として上述した照明器具を基にして、当業者が適宜設計変更して実施し得る全ての照明器具も、本発明の要旨を包含する限り、本発明の範囲に属する。
その他、本発明の思想の範疇において、当業者であれば、各種の変更例及び修正例に想到し得るものであり、それら変更例及び修正例についても本発明の範囲に属するものと了解される。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１０…発光パネル、  １０ｓ…周縁部、  １１…カバー部、  １１ａ…第１面、  １１ｂ…第２面、  １１ｅ１、１１ｅ２、１２ｅ１、１２ｅ２…電極部、  １１ｐ１、１１ｐ２…突起部、  １２…支持部、  １２ａ…第１面、  １２ｂ…第２面、  １２ｔ１、１２ｔ２…溝部、  ２０…基板、  ２０ａ…第１面、  ２０ｂ…第２面、  ２１…第１電極、  ２２…第２電極、  ２４…封止部材、  ２４ａ…第１面、  ２４ｂ…第２面、  ２５…封止体、  ２６…絶縁膜、  ３０…有機層、  ３１…正孔輸送層、  ３２…発光層、  ３３…電子輸送層、  １００、１２０…照明器具
【図１】
2015185266.tif 000003
【図２】
2015185266.tif 000004
【図３】
2015185266.tif 000005
【図４】
2015185266.tif 000006
【図５】
2015185266.tif 000007